(57)【要約】【課題】受信放送の選択の利便性を高めること。【解決手段】放送を受信する放送受信の装置、方法又はプログラムであって、入力部（４、４１、４３）は、受信放送の選局又は受信開始の入力を行う。選局情報登録部（入力番号登録部６）は、放送の受信開始に先立って前記入力部から入力される選局情報を登録する。そして、放送受信部（放送受信機能部１０）は、前記入力部から入力される受信開始により、前記選局情報登録部にある前記選局情報により選局された放送を受信する。【選択図】図１
2010239269.tif 000002
【特許請求の範囲】
【請求項１】
放送を受信する放送受信装置であって、
受信放送の選局又は受信開始の入力を行う入力部と、
放送の受信開始に先立って前記入力部から入力される選局情報を登録する選局情報登録部と、
前記入力部から入力される受信開始により、前記選局情報登録部にある前記選局情報により選局された放送を受信する放送受信部と、
を備えることを特徴とする放送受信装置。
【請求項２】
前記入力部に選局キーと、受信開始キーとを備え、前記選局キーによる選局情報の入力の後、前記受信開始キーの操作により、選局された放送受信を開始することを特徴とする請求項１記載の放送受信装置。
【請求項３】
放送を受信する放送受信方法であって、
放送受信の開始に先立って選局情報入力を受け付け、該選局情報を登録するステップと、
放送受信開始により、登録されている選局情報により選局された放送を受信するステップと、
を含むことを特徴とする放送受信方法。
【請求項４】
放送を受信する放送受信プログラムであって、
放送受信の開始に先立って選局情報入力を受け付け、該選局情報を登録する機能と、
放送受信開始により、登録されている選局情報により選局された放送を受信する機能と、
を含み、これらの機能をコンピュータに実行させることを特徴とする放送受信プログラム。
【請求項５】
放送の受信機能を備える携帯端末装置であって、
受信放送の選局又は受信開始の入力を行う入力部と、
放送の受信開始に先立って前記入力部から入力される選局情報を登録する選局情報登録部と、
前記入力部による受信開始により、前記選局情報登録部にある前記選局情報により選局された放送を受信する放送受信部と、
を備えることを特徴とする携帯端末装置。
【発明の詳細な説明】
【技術分野】
【０００１】
本発明は、地上ディジタル放送等の各種放送の選局や受信開始の技術に関し、例えば、ワンセグ放送（１ Seg : One Segment Broadcasting ）の受信開始前に所望の選局が行える放送受信装置、放送受信方法、放送受信プログラム及び携帯端末装置に関する。
【背景技術】
【０００２】
例えば、携帯端末装置に搭載されたワンセグ放送等の放送受信機能では、ワンセグ放送の受信機能を立ち上げると、前回受信に係る受信放送のチャンネルで放送受信が開始される。視聴したい受信放送への切替えは、そのチャンネルで放送受信の確立後に行うことができる。
【０００３】
このようなディジタル放送の受信に関し、電源のオンから数秒から数十秒の立ち上げ時間を利用してチャンネルの選局及び音量調節を行うＯＳＤ表示をし、メインマイコンによって調整値を制御し、予約をすることが知られている（例えば、特許文献１）。
【０００４】
また、放送事業者別にチャンネル選局情報と番組番号を記憶するメモリや、番組表情報を記憶するメモリを備え、電源オフ時、選局情報からチャンネル選局、番組表情報を順次記憶受信する。電源オン時には、メモリにある番組を中心とした番組表を表示し、番組選択を容易にすることが知られている（例えば、特許文献２）。
【先行技術文献】
【特許文献】
【０００５】
【特許文献１】特開２００６−３４５３３６号公報
【特許文献２】特開平１０−２８５４８２号公報
【発明の概要】
【発明が解決しようとする課題】
【０００６】
このようにワンセグ放送（１ Seg : One Segment Broadcasting ）等の放送受信では、電源オンから放送受信の立ち上げまで相当な時間を要するので、受信終了時に選局されていた受信放送が受信できても、ユーザの希望する放送番組が受信できるとは限らない。また、受信放送の予約が可能であっても（特許文献１）、その予約のために表示画面を立ち上げ、受信放送の選局を行う操作が必要であり、手数を要する。
【０００７】
このように放送受信機能は、相当な立ち上げ時間を要するのであり、受信放送の選択や切替えに立ち上げを待つことが必要であり、利用者にとって煩わしいことである。
【０００８】
そこで、本開示の放送受信装置、放送受信方法、放送受信プログラム又は携帯端末装置は、受信放送の選択の利便性を高めることにある。
【課題を解決するための手段】
【０００９】
上記課題を解決するため、本開示の放送受信装置、放送受信方法、放送受信プログラム又は携帯端末装置は、放送の受信開始前に選局入力を受け付け、選局された放送の受信を開始させる構成である。
【００１０】
そこで、本開示の放送受信装置は、放送を受信する放送受信装置であって、入力部と、選局情報登録部と、放送受信部とを備える。入力部は、受信放送の選局又は受信開始の入力を行う。選局情報登録部は、放送の受信開始に先立って前記入力部から入力される選局情報を登録する。そして、放送受信部は、前記入力部から入力される受信開始により、前記選局情報登録部にある前記選局情報により選局された放送を受信する。
【００１１】
本開示の放送受信方法は、放送を受信する放送受信方法であって、選局情報の登録ステップと、放送の受信ステップとを含む。選局情報の登録ステップでは、放送受信の開始に先立って選局情報入力を受け付け、該選局情報を登録する。そして、放送の受信ステップでは、放送受信開始により、登録されている選局情報により選局された放送を受信する。
【００１２】
本開示の放送受信プログラムは、放送を受信する放送受信プログラムであって、選局情報の登録機能と、放送の受信機能とを含む。選局情報の登録機能では、放送受信の開始に先立って選局情報入力を受け付け、該選局情報を登録する。そして、放送の受信機能は、放送受信開始により、登録されている選局情報により選局された放送を受信する。
【００１３】
そして、本開示の携帯端末装置は、放送の受信機能を備える携帯端末装置であって、入力部と、選局情報登録部と、放送受信部とを備える。入力部は、受信放送の選局又は受信開始の入力を行う。選局情報登録部は、放送の受信開始に先立って前記入力部から入力される選局情報を登録する。そして、放送受信部は、前記入力部から入力される受信開始により、前記選局情報登録部にある前記選局情報により選局された放送を受信する。
【発明の効果】
【００１４】
本開示の放送受信装置、放送受信方法、放送受信プログラム又は携帯端末装置によれば、次のような効果が得られる。
【００１５】
(1) 放送受信に先行して受信放送を選択できるので、受信開始を所望の受信放送で行うことができる。
【００１６】
(2) 受信放送の選択が受信開始を待つことなく行えるので、ユーザの待機時間ロスを解消でき、利便性を向上させることができる。
【００１７】
そして、本発明の他の目的、特徴及び利点は、添付図面及び各実施の形態を参照することにより、一層明確になるであろう。
【図面の簡単な説明】
【００１８】
【図１】第１の実施の形態に係る携帯端末装置を示す図である。
【図２】第２の実施の形態に係る携帯端末装置を示す図である。
【図３】メモリの構成例を示す図である。
【図４】携帯端末装置の外観構成を示す図である。
【図５】放送受信の処理手順を示すフローチャートである。
【図６】放送受信のソフトウェア構成を示す図である。
【図７】待受画面を示す図である。
【図８】キー投入を示す図である。
【図９】チャンネル投入画面を示す図である。
【図１０】ワンセグ起動画面を示す図である。
【図１１】ワンセグ視聴画面を示す図である。
【図１２】放送受信の処理シーケンスを示す図である。
【図１３】第３の実施の形態に係る携帯端末装置を示す図である。
【図１４】携帯端末装置の外観構成を示す図である。
【図１５】放送受信のソフトウェア構成を示す図である。
【図１６】待受画面を示す図である。
【図１７】タッチ操作を示す図である。
【図１８】チャンネル投入画面を示す図である。
【図１９】ワンセグ起動画面を示す図である。
【図２０】ワンセグ視聴画面を示す図である。
【図２１】放送受信の処理シーケンスを示す図である。
【図２２】第４の実施の形態に係るタッチメニュー画面を示す図である。
【図２３】放送受信のソフトウェア構成を示す図である。
【図２４】第１のチャンネル投入画面を示す図である。
【図２５】第２のチャンネル投入画面を示す図である。
【図２６】ワンセグ起動画面を示す図である。
【図２７】ワンセグ視聴画面を示す図である。
【図２８】放送受信の処理シーケンスを示す図である。
【図２９】第５の実施の形態に係る入力部及び入力処理部の構成例を示す図である。
【図３０】比較例１の画面遷移を示す図である。
【図３１】比較例１の放送受信の処理シーケンスを示す図である。
【図３２】比較例２の画面遷移を示す図である。
【図３３】比較例２の放送受信の処理シーケンスを示す図である。
【図３４】比較例３の画面遷移を示す図である。
【図３５】比較例３の放送受信の処理シーケンスを示す図である。
【図３６】他の実施の形態に係るＴＶ受信機を示す図である。
【図３７】他の実施の形態に係るラジオ受信機を示す図である。
【図３８】他の実施の形態に係る携帯情報端末機（ＰＤＡ）を示す図である。
【図３９】他の実施の形態に係るパーソナルコンピュータ（ＰＣ）を示す図である。
【発明を実施するための形態】
【００１９】
〔第１の実施の形態〕
【００２０】
この第１の実施の形態は、放送受信機能と、電話受信機能とを備える携帯端末装置である。この第１の実施の形態では、放送受信前の入力番号が選局情報か電話番号かの判断を行う。選局情報であれば放送開始指示により入力番号で指定された放送受信が開始される。また、電話番号であれば電話開始指示により、入力番号を電話番号として電話発信が行われる。放送受信に先立って選局が行えるので、所望の選局によって迅速な放送受信が行える。
【００２１】
この第１の実施の形態について、図１を参照する。図１は、放送受信機能を備えた携帯端末装置のシステム構成を示す図である。図１に示す構成は一例であって、斯かる構成に本発明が限定されるものではない。
【００２２】
この携帯端末装置２は放送受信装置、放送受信方法及び放送受信プログラムの一例であって、放送受信機能としてワンセグ放送受信機能、電話機能等を備えている。この携帯端末装置２は、入力部４と、入力番号登録部６と、入力番号判断部８と、放送受信機能部１０と、電話機能部１２とを備え、入力部４は、番号キー（数字キー）１４と、受信開始キー１６と、電話開始キー１８とを備える。
【００２３】
入力番号登録部６は、入力番号を登録し、この入力番号が受信放送のチャンネル（ＣＨ）番号又は電話番号に用いられ、放送受信にあっては、前回の受信放送のＣＨ番号を登録する。即ち、この入力番号登録部６は、選局情報であるＣＨ番号を登録する選局情報登録部の一例である。
【００２４】
入力番号判断部８は、入力番号が選局情報か電話番号かを判断し、選局情報であれば放送受信機能部１０に放送受信開始の準備を指示し、電話番号であれば電話機能部１２に電話開始の準備を指示する。
【００２５】
放送受信機能部１０は、放送受信部の一例であって、番号キー１４による入力番号の後、受信開始キー１６の入力に基づき、入力番号をＣＨ番号とし、放送受信を開始する機能部である。この場合、入力番号登録部６にある最新の入力番号をＣＨ番号とすればよく、即ち、受信開始キー１６の入力に先立って、入力番号が登録されていれば、入力番号登録部６からその入力番号を受け、入力番号をＣＨ番号に用いて放送受信が開始される。番号キー１４が入力されることなく、先に受信開始キー１６が押下されれば、入力番号登録部６にある前回受信時のＣＨ番号を用いて放送受信が開始される。
【００２６】
電話機能部１２は、番号キー１４の入力の後、電話開始キー１８の入力に基づき、電話発信を行う機能部である。
【００２７】
斯かる構成によれば、入力部４の番号キー１４から番号入力を行うと、その番号が選局情報か電話番号かの判断を行い、選局情報であれば放送受信機能部１０に放送受信開始の準備が指示され、電話番号であれば電話機能部１２に電話開始の準備が指示される。
【００２８】
この状態からユーザが受信開始キー１６を押下すれば、指定されているＣＨ番号の放送受信が行え、電話開始キー１８を押下すれば、入力されている番号を電話番号として電話発信が行われる。
【００２９】
放送開始では、放送受信に先立ってＣＨ番号を入力し、そのＣＨ番号で受信放送を指定して放送受信を行えるので、放送受信の後、ＣＨ番号を指定しなければならないという不都合はなく、放送受信の立ち上げを待つことなく、所望の放送を指定して迅速な放送受信を行うことができる。
【００３０】
なお、ＣＨ番号を入力する前に、受信開始キー１６を押下すれば、入力番号登録部６にある前回受信時のＣＨ番号で選局された放送受信を行うことができる。
【００３１】
〔第２の実施の形態〕
【００３２】
この実施の形態は、第１の実施の形態に係る携帯端末装置を具体化した構成を備えている。
【００３３】
この第２の実施の形態について、図２、図３及び図４を参照する。図２は、放送受信機能を備えた携帯端末装置を示す図、図３は、メモリ構成を示す図、図４は、携帯端末装置の外観構成を示す図である。図２、図３及び図４に示す構成は一例であって、斯かる構成に本発明が限定されるものではない。
【００３４】
この携帯端末装置２は放送受信装置、放送受信方法及び放送受信プログラムの一例であって、放送受信機能としてワンセグ放送受信機能、電話機能等を備えている。この携帯端末装置２は、メモリ２０と、プロセッサ２２と、ＴＶ（テレビジョン）チューナ部２４と、表示部２６と、音声入出力部２８と、入力部４１と、既述の電話機能部１２とを備える。
【００３５】
メモリ２０は、プログラムやデータを記憶する記憶手段であるとともに、入力番号登録部６（図１）であって、記録媒体で構成される。
【００３６】
プロセッサ２２は、ＴＶチューナ部２４、表示部２６等の各種機能部の制御手段、既述の入力番号判断部８（図１）等を構成し、メモリ２０にあるプログラムの実行により、入力部４１からの番号入力が選局情報か電話番号かの判断等を実行し、選局情報であれば放送開始の準備や、電話番号であれば電話開始の準備等を実行する。
【００３７】
ＴＶチューナ部２４は、放送受信部、既述の放送受信機能部１０の一例であって、ＴＶ放送受信用のアンテナ３０を備え、プロセッサ２２の制御に基づき、放送受信開始前に入力部４１の入力番号をＣＨ番号とし、放送開始入力に基づき、ＣＨ番号の放送受信を行う。
【００３８】
表示部２６は、文字情報や画像情報を視認可能に表示する情報提示部の一例であって、例えば、ＬＣＤ（Liquid Crystal Display）表示器で構成される。
【００３９】
音声入出力部２８は、着信音の出力、電話音声の入出力、ＴＶ音声の出力等の音声の入出力を行う手段であって、スピーカ３２Ｌ、３２Ｒ、レシーバ３４及びマイクロフォン３６を備える。スピーカ３２Ｌ、３２Ｒから例えば、ＴＶのステレオ音声、レシーバ３４からＴＶ音声又は電話音声が出力され、マイクロフォン３６から電話音声が入力される。
【００４０】
また、入力部４１は、受信放送の選局、受信開始、メニュー操作等の入力を行う入力手段の一例であって、入力部４（図１）に対応し、既述の番号キー１４、ＴＶキー（受信開始キー１６の一例）、電話開始キー１８、カーソルキーや、決定キー、エンターキー等を備える。
【００４１】
この場合、電話機能部１２は、電話通信用のアンテナ３８を備え、基地局を媒介として相手装置との接続のための呼制御、無線による電話通信、データ通信を行う。
【００４２】
そして、メモリ２０には、図３に示すように、プログラム記憶部４０と、データ記憶部４２と、ＲＡＭ（Random-Access Memory）４４とを備える。プログラム記憶部４０には、ＯＳ（Operating System）４６や、放送受信プログラム等の複数のアプリケーション４８が格納され、データ記憶部４２には、入力番号が登録されるとともに、前回受信時の放送を表すＣＨ番号等の他、各種情報が格納される。そこで、データ記憶部４２には、入力番号を記憶する番号記憶部４２２と、前回受信時のＣＨ番号を記憶するＣＨ番号記憶部４２４とを備える。また、ＲＡＭ４４は、プロセッサ２２の制御により実行されるプログラムが展開され、ワークエリアを構成する。
【００４３】
このような機能部を備える携帯端末装置２では、図４に示すように、第１の筐体部５０と第２の筐体部５２とがヒンジ部５４で開閉可能に連結されている。筐体部５０には入力部４１と、スピーカ３２Ｌ、３２Ｒと、マイクロフォン３６とが備えられ、筐体部５２には、表示部２６の表示画面５６や、レシーバ３４等が備えられている。
【００４４】
入力部４１にはメニューキー５８、番号キー６０、カーソルキー６２、決定キー６３、ＴＶキー６４、電話開始キー６６、終了（ＥＮＤ）キー６８等、各種の機能が割り当てられた複数のキーが備えられる。メニューキー５８は、起動する機能の一覧等を選択可能に表示部２６に表示させるキーである。
【００４５】
番号キー６０は、ＣＨ番号や電話番号を入力するキーであって、入力を契機に番号投入画面を起動する機能や、入力番号をメモリ２０のデータ記憶部４２の番号記憶部４２２に書き込みを指令する機能が割り付けられている。
【００４６】
カーソルキー６２は、表示部２６に表示された画面上の機能の選択等に用いられるキーである。決定キー６３は、表示画面５６に表示されるワンセグキー１２４（図９）を操作するための入力キーの他、入力メニューの開始や、選択機能の決定等に用いられる。ＴＶキー６４は、受信開始キーの一例であって、この押下によって放送受信開始が指示される。電話開始キー６６は、通話開始キーの一例であって、この押下によって電話発信の開始が指示される。ＥＮＤキー６８は各種機能の終了を指示するための手段であって、その押下によって例えば、放送受信の終了、電話接続の解除、機能を終了して待受画面への復帰等が指示される。
【００４７】
次に、放送受信及び電話発信の処理手順について、図５を参照する。図５は、放送受信及び電話発信の処理手順を示すフローチャートである。図５に示す構成は一例であって、斯かる構成に本発明が限定されるものではない。
【００４８】
この処理手順は、放送受信方法又は放送受信プログラムの一例であって、待受画面の表示状態からの入力番号を契機に、入力番号の桁数を判断し、放送受信準備又は電話発信準備を行い、ＴＶキー６４の押下により放送受信の開始、電話開始キー６６の押下により電話発信を行う処理を含んでいる。
【００４９】
そこで、この処理手順は、図５に示すように、表示部２６に待受画面が表示されているか否かを判断し（ステップＳ１１）、待受画面が表示されていなければ（ステップＳ１１のＮＯ）、ＥＮＤキー６８の押下により（ステップＳ１２）、待受画面に移行させることができる。
【００５０】
この待受画面の表示状態から、番号キー６０の何れかから入力番号が投入されると（ステップＳ１３）、入力番号の番号投入画面が起動される（ステップＳ１４）。この番号投入画面には、入力されている入力番号が表示され、この入力番号はメモリ２０の番号記憶部４２２に書き込まれ（ステップＳ１５）、登録される。この入力番号の入力終了か否かを判定する（ステップＳ１６）。この入力終了は、番号投入を停止した状態で所定時間が経過すれば入力終了と判定してもよいし、入力部４１のエンターキーの押下により、入力を完了させてもよい。
【００５１】
そして、入力番号の桁数を判定し（ステップＳ１７）、この実施の形態では、その入力番号の基準桁として２桁以下か否かを判定する。入力番号を２桁で判断するのは、ワンセグ放送のＣＨ番号が通常１桁又は２桁程度であり、また、電話番号が２桁を超える桁数であることによる。従って、３桁以上の桁数を基準にしてもよい。
【００５２】
入力番号が２桁以下でなければ（ステップＳ１７のＮＯ）、電話発信準備に移行し（ステップＳ１８）、電話開始キー６６の押下により電話発信が行われる。
【００５３】
入力番号が２桁以下であれば（ステップＳ１７のＹＥＳ）、ワンセグ放送受信の起動準備に移行し（ステップＳ１９）、ＴＶキー６４の押下（ステップＳ２０）により、メモリ２０の番号記憶部４２２から読出しが行われる（ステップＳ２１）。読み出された入力番号はＣＨ情報としてソフトウェアの上位層へ通知され（ステップＳ２２）、ワンセグ放送の放送受信が開始され（ステップＳ２３）、この処理を終了する。
【００５４】
このように待受画面状態から入力される入力番号の桁数を判断し、放送受信準備又は電話発信準備を行い、ＴＶキー６４の押下により放送受信の開始、電話開始キー６６の押下により電話発信を行うことができる。放送受信前に入力される番号に基づき、そのＣＨ番号により放送受信を開始するので、放送の受信開始後までＣＨ選択を待たなければならない不都合を回避でき、放送受信の利便性が高められる。
【００５５】
また、入力番号の後、電話開始キー６６の押下を契機として電話発信が行えるので、電話発信モードに切り替える手間を省くことができ、電話発信においても、利便性が高められる。
【００５６】
次に、ワンセグ放送受信のソフトウェア構成について、図６を参照する。図６は、ワンセグ放送受信のソフトウェア構成を示す図である。図６に示す構成は一例であって、斯かる構成に本発明が限定されるものではない。図６において、図２と同一部分には同一符号を付してある。
【００５７】
このワンセグ放送受信機能部７０は、ＴＶチューナ部２４（図２）にワンセグ放送等の放送受信を実行するソフトウェアの一例であって、キードライバ７２と、アプリケーションフレームワーク７４と、メニューアプリ７６と、待受アプリ７８と、番号投入アプリ８０と、ワンセグアプリ８２と、ワンセグコントロール部８４とを備える。
【００５８】
この機能部７０の地デジ視聴までの各種ルートとして、第１の実線８６で示すルートは、メニュー画面からの起動ルートであって、例えば、入力部４１のメニューキー５８によるメニュー起動の処理ルートである。第１の破線８８で示すルートは、短縮キーからの起動ルートであって、例えば、待受画面から、短縮登録に係るキー入力による処理ルートである。一点鎖線９０で示すルートは、地デジ視聴中のチャンネル切替えのルートであって、例えば、地デジ視聴開始直後の入力キーによるチャンネル切替えのルートである。第２の実線９２で示すルートは、地デジ閲覧に伴う各種機能のコントロールと設定を行うルートである。そして、第２の破線９４で示すルートは、予めＣＨ番号を指定してからの起動ルートであって、例えば、視聴したい放送のＣＨ番号の投入を行い、番号投入画面に割り付けられているワンセグキーやＴＶキー６４による起動ルートである。
【００５９】
キードライバ７２は、キー情報を管理する機能部の一例であって、入力部４１（図２）のメニュー操作、短縮操作、ＣＨ操作のみ、又はＣＨ操作及びＴＶキー操作の入力を受け、各入力情報を本ソフトウェアの上位層に通知する機能を有する。
【００６０】
アプリケーションフレームワーク７４は、入力判定手段であって、入力情報に応じて、本ソフトウェアの上位層であるメニューアプリ７６にメニュー通知、待受アプリ７８に短縮通知、ワンセグアプリ８２にＣＨ情報の通知、番号投入アプリ８０にＣＨ番号又はＴＶ起動の通知をする。
【００６１】
メニューアプリ７６は、各種メニュー画面を制御する機能部としてのアプリケーションである。待受アプリ７８は、待受時の画面を制御する機能部としてのアプリケーションである。
【００６２】
番号投入アプリ８０は、番号投入画面からワンセグ放送受信の起動を制御するアプリケーションであって、ＣＨ情報表示部９６と、起動判断部９８と、ワンセグ起動通知発行部１００とを備える。
【００６３】
ＣＨ情報表示部９６は、アプリケーションフレームワーク７４からＣＨ番号を受け、ＣＨ情報を表示部２６に表示させる機能部である。起動判断部９８は、ＴＶキー６４の操作を受け、ＴＶ起動か否かの起動判断を行う機能部である。また、ワンセグ起動通知発行部１００は、ＣＨ情報表示部９６からのＣＨ情報と、起動判断部９８からのＴＶ起動とを受け、ワンセグ起動通知を発行する機能部であって、ＴＶ起動の際、ＣＨ情報をワンセグアプリ８２に通知する。
【００６４】
ワンセグアプリ８２は、メニューアプリ７６からのアプリ起動、待受アプリ７８からのアプリ起動、アプリケーションフレームワーク７４からのＣＨ情報通知、番号投入アプリ８０からのＣＨ情報通知の何れかを受ける。従って、ワンセグアプリ８２は、これらの通知の何れかによりワンセグ放送を受信し、ワンセグ放送の受信画像を画面に描画する機能部としてのアプリケーションであって、ワンセグコントロール部８４に対してＣＨ設定を行う。なお、番号投入アプリ８０を用いない場合、メニュー操作や短縮操作では、ワンセグ放送受信の起動時、前回指定されていたＣＨ設定となる。
【００６５】
ワンセグコントロール部８４は、ワンセグアダプタ１０２と、ワンセグドライバ１０４と、ワンセグモジュール１０６とを備える。ワンセグアダプタ１０２は、ワンセグドライバ１０４との制御を行う機能部であって、映像や音声の出力制御を行う。ワンセグドライバ１０４は、ワンセグモジュール１０６を動作させるためのソフトウェアである。ワンセグモジュール１０６は、ワンセグデバイス即ち、ワンセグ放送受信用のデバイスである。この実施の形態では、ＴＶチューナ部２４（図２）に相当する。
【００６６】
次に、ワンセグ放送受信の起動について、図７、図８、図９、図１０及び図１１を参照する。図７は、待受画面を示す図、図８は、キー投入を示す図、図９は、ＣＨ投入画面を示す図、図１０は、ワンセグ起動画面を示す図、図１１は、ワンセグ視聴画面を示す図である。図７、図８、図９、図１０及び図１１に示す構成は一例であって、斯かる構成に本発明が限定されるものではない。
【００６７】
既述のＥＮＤキー６８を押下すると、表示部２６の表示画面５６には、図７に示すように、待受画面１０８が表示される。この待受画面１０８は、放送受信や電話発信等の各種機能を開始させるための初期画面である。
【００６８】
この待受画面１０８の表示状態において、図８に示すように、入力部４１の番号キー６０から番号を選択してキー投入即ち、キー押下により、入力番号が入力される。
【００６９】
このキー押下の契機により、図９に示すように、表示部２６の表示画面５６には、ＣＨ投入画面１１０が表示される。このＣＨ投入画面１１０には、ステータス領域１１２、タスクバー領域１１４、番号表示領域１１６、状態表示領域１１８、機能操作領域１２０が設定されている。この場合、番号「１」が選択されているので、番号表示領域１１６には、投入された入力番号の「１」が表示されている。状態表示領域１１８には、入力番号の入力を表すメッセージ１２２が表示されている。機能操作領域１２０には、ワンセグキー１２４が表示され、このワンセグキー１２４は、放送受信開始を指示するソフトウェアキーであって、ＴＶキー６４と同等の機能である。
【００７０】
ワンセグキー１２４は、決定キー６３の押下により、図１０に示すように、ワンセグ起動画面１２６が表示される。このワンセグ起動画面１２６には、タスク領域１２８、メッセージ表示領域１３０が設定され、メッセージ表示領域１３０には、ワンセグ起動中を表すメッセージ表示、スプラッシュ画像等の起動メッセージ表示１３１が表示される。
【００７１】
このワンセグ起動画面１２６の表示の後、図１１に示すように、ワンセグ視聴画面１３２が表示される。このワンセグ視聴画面１３２には、タスク領域１３４、映像領域１３６、字幕領域１３８、データ放送領域１４０、ＴＶステータス領域１４２、操作領域１４４が設定されている。操作領域１４４には、メニューキー１４６、選択キー１４８、カーソルキー１４９、番組表キー１５０、音量増加キー１５２、音量減少キー１５４が表示される。ソフトウェアキーである選択キー１４８はハードウェアキーである決定キー６３に対応し、同様に、カーソルキー１４９はカーソルキー６２に対応する。
【００７２】
次に、ワンセグ放送受信の起動について、図１２を参照する。図１２は、ワンセグ放送受信の起動の処理手順を示すシーケンス図である。図１２に示す構成は一例であって、斯かる構成に本発明が限定されるものではない。
【００７３】
この処理手順は、放送受信方法又は放送受信プログラムの一例であって、待受画面表示段階（手順Ｉ）、待受画面表示からＣＨ投入画面表示に至る段階（手順II）、ＣＨ投入画面表示からワンセグ起動画面表示に至る段階（手順III ）、ワンセグ起動画面表示段階（手順IV）、ワンセグ起動画面表示からワンセグ視聴画面表示に至る段階（手順Ｖ）が含まれる。
【００７４】
手順Ｉとして、待受画面（図７）の表示を行う（ステップＳ３１）。手順IIとして、視聴したいＣＨ番号をキー操作（番号キー６０）により入力する（ステップＳ３２）。この入力番号はキードライバ７２で判定され、その判定結果がアプリケーションフレームワーク７４に通知される（ステップＳ３３）。アプリケーションフレームワーク７４はその番号入力を番号投入アプリ８０に通知し（ステップＳ３４）、番号投入アプリ８０では、入力番号の入力を契機にＣＨ投入画面（図９）の表示を行う（ステップＳ３５）。この状態において、放送受信か電話発信かの準備が行われる。
【００７５】
手順III として、画面上のワンセグキー１２４（図９）をキー操作によって押下し（ステップＳ３６）、このキー操作がキードライバ７２からアプリケーションフレームワーク７４に通知される（ステップＳ３７）。このキー操作により、入力番号がＣＨ情報としてアプリケーションフレームワーク７４からワンセグアプリ８２にＣＨ情報通知が発せられ（ステップＳ３８）、手順IVとして、ワンセグ起動画面（図１０）の表示（ステップＳ３９）が実行される。この結果、ワンセグアプリ８２からワンセグコントロール部８４にＣＨ情報設定が行われ（ステップＳ４０）、手順Ｖとして、ワンセグ視聴画面（図１１）の表示（ステップＳ４１）が実行される。
【００７６】
このように、ワンセグ放送の受信開始前にＣＨ番号をキー入力すれば、そのＣＨ番号でワンセグ放送が指定され、ワンセグキー１２４の押下により、そのＴＶ放送を受信することができる。この場合、ワンセグキー１２４に代え、ＴＶキー６４の押下によっても、同様に放送受信を開始することができる。
【００７７】
ワンセグ機能を搭載している携帯端末装置２では、見たい番組、チャンネルを予め選択投入してから起動することができ、ワンセグ起動直後から所望の放送番組を視聴することができ、ＣＨ切替えに伴う無駄な映像切替えや時間ロス等の不都合を回避でき、快適な視聴が得られる等、利便性の高い携帯端末装置を構成できる。
【００７８】
〔第３の実施の形態〕
【００７９】
第３の実施の形態は、入力部にワンセグ放送の起動や、電話番号の入力にタッチパネルを用いている。
【００８０】
この第３の実施の形態について、図１３、図１４、図１５、図１６、図１７、図１８、図１９、図２０及び図２１を参照する。図１３は、第３の実施の形態に係る携帯端末装置を示す図、図１４は、タッチパネル部を搭載した携帯端末装置を示す図、図１５は、ソフトウェア構成を示す図、図１６は、待受画面を示す図、図１７は、キー投入を示す図、図１８は、ＣＨ投入画面を示す図、図１９は、ワンセグ起動画面を示す図、図２０は、ワンセグ視聴画面を示す図である。図１３、図１４、図１５、図１６、図１７、図１８、図１９及び図２０に示す構成は一例であって、斯かる構成に本発明が限定されるものではない。図１３、図１４、図１５、図１６、図１７、図１８、図１９及び図２０において、図１〜図１２と同一部分には同一符号を付してある。
【００８１】
この実施の形態に係る携帯端末装置２の入力部４３には、図１３に示すように、表示部２６上にタッチパネル部１６０を備えている。このタッチパネル部１６０は、第１の入力部４１に対し、第２の入力部を構成する入力手段であって、図１４に示すように、表示部２６の表示画面５６上に設置され、表示画面５６のキー表示にユーザの指をタッチすることにより、キー投入を行える構成である。その他の構成は、第１の実施の形態と同様であるので、その説明を省略する。
【００８２】
また、このタッチパネル部１６０を備えたことにより、ソフトウェア構成は、図１５に示すように、入力部４３に対応するタッチパネルドライバ１６４を備える。このタッチパネルドライバ１６４は、キー情報を管理する機能部の一例であって、入力部４３（図１３）のメニュー操作、短縮操作、ＣＨ操作のみ、又はＣＨ操作及びＴＶキー操作の入力を受け、各入力情報を本ソフトウェアの上位層に通知する機能を有する。このタッチパネルドライバ１６４は、既述のキードライバ７２（図６）の機能を包含している。その他の構成は、第２の実施の形態と同様であるので、その説明を省略する。
【００８３】
そこで、入力部４３においても、既述のＥＮＤキー６８（図１４）を押下すると、表示部２６の表示画面５６には、図１６に示すように、待受画面１０８が表示される。この待受画面１０８は、タッチパネル部１６０を備えていても同様に放送受信や電話発信等の各種機能を開始させるための初期画面である。
【００８４】
この待受画面１０８の表示状態において、図１７に示すように、タッチパネル部１６０のタッチ操作で視聴したい放送に対するＣＨ番号を指でなぞることにより、入力する。
【００８５】
このタッチパネル部１６０からの入力番号は、文字認識機能により認識され、図１８に示すように、表示部２６の表示画面５６には、ＣＨ投入画面１１０が表示される。このＣＨ投入画面１１０には既述の各領域とともに入力番号の「１」が表示されている。状態表示領域１１８には、入力番号の入力を表すメッセージ１２２が表示されている。機能操作領域１２０には、ワンセグキー１２４が表示され、このワンセグキー１２４は、放送受信開始を指示するソフトウェアキーであって、ＴＶキー６４と同等の機能である。
【００８６】
ワンセグキー１２４をタッチすることにより、図１９に示すように、ワンセグ起動画面１２６が表示される。このワンセグ起動画面１２６には各領域とともにメッセージ表示、スプラッシュ画像等の起動メッセージ表示１３１が表示される。
【００８７】
このワンセグ起動画面１２６の表示の後、図２０に示すように、ワンセグ視聴画面１３２が表示される。このワンセグ視聴画面１３２には各領域の表示とともに、操作領域１４４には、メニューキー１４６、選択キー１４８、カーソルキー１４９、番組表キー１５０、音量増加キー１５２、音量減少キー１５４が表示される。
【００８８】
次に、ワンセグ放送受信の起動について、図２１を参照する。図２１は、ワンセグ放送受信の起動の処理手順を示すシーケンス図である。図２１に示す構成は一例であって、斯かる構成に本発明が限定されるものではない。
【００８９】
この処理手順は、放送受信方法又は放送受信プログラムの一例であって、待受画面表示段階（手順Ｉ）、待受画面表示からＣＨ投入画面表示に至る段階（手順II）、ＣＨ投入画面表示段階（手順III ）、ＣＨ投入画面表示からワンセグ起動画面表示に至る段階（手順IV）、ワンセグ起動画面表示段階（手順Ｖ）、ワンセグ起動画面表示からワンセグ視聴画面表示に至る段階（手順VI）が含まれる。
【００９０】
手順Ｉとして、待受画面（図１６）の表示（ステップＳ５１）をする。手順IIとして、視聴したいＣＨ番号をなぞる操作によりＣＨ番号を入力する（ステップＳ５２）。この入力番号はタッチパネルドライバ１６４に入力され、文字認識を経て、その認識結果がアプリケーションフレームワーク７４に通知される（ステップＳ５３）。アプリケーションフレームワーク７４はその番号入力を番号投入アプリ８０に通知し（ステップＳ５４）、手順III として、番号投入アプリ８０では、入力番号の入力を契機にＣＨ投入画面表示を行う（ステップＳ５５）。この状態において、放送受信か電話発信かの準備が行われる。
【００９１】
手順IVとして、画面上のワンセグキー１２４（図１８）をタッチし（ステップＳ５６）、このタッチ操作がタッチパネルドライバ１６４からアプリケーションフレームワーク７４に通知される（ステップＳ５７）。このタッチ操作により、入力番号がＣＨ情報としてアプリケーションフレームワーク７４からワンセグアプリ８２にＣＨ情報通知が発せられる（ステップＳ５８）。手順Ｖとして、ワンセグ起動画面（図１９）の表示（ステップＳ５９）が実行され、ワンセグアプリ８２からワンセグコントロール部８４にＣＨ情報設定が行われ（ステップＳ６０）、手順VIとして、ワンセグ視聴画面（図２０）の表示（ステップＳ６１）が実行される。
【００９２】
このように、ワンセグ放送の受信開始前にＣＨ番号を入力すれば、そのＣＨ番号でワンセグ放送が指定され、ワンセグキー１２４のタッチにより、そのＴＶ放送を受信することができる。この場合、ワンセグキー１２４のタッチに代え、ＴＶキー６４の押下によっても、同様に放送受信を開始することができる。
【００９３】
この実施の形態においても、見たい番組、チャンネルを予め選択投入してから起動することができ、ワンセグ起動直後から所望の放送番組を視聴することができ、ＣＨ切替えに伴う無駄な映像切替えや時間ロス等の不都合を回避でき、快適な視聴が得られる等、利便性の高い携帯端末装置を構成できる。
【００９４】
〔第４の実施の形態〕
【００９５】
第４の実施の形態は、入力部にタッチメニュー画面を用いている。
【００９６】
この第４の実施の形態について、図２２、図２３、図２４、図２５、図２６及び図２７を参照する。図２２は、第４の実施の形態に係るタッチメニュー画面を表示した携帯端末装置を示す図、図２３は、ソフトウェア構成を示す図、図２４は、第１のＣＨ投入画面を示す図、図２５は、第２のＣＨ投入画面を示す図、図２６は、ワンセグ起動画面を示す図、図２７は、ワンセグ視聴画面を示す図である。図２２、図２３、図２４、図２５、図２６及び図２７に示す構成は一例であって、斯かる構成に本発明が限定されるものではない。図２２ないし図２７において、図１３〜図２１と同一部分には同一符号を付してある。
【００９７】
この実施の形態に係る携帯端末装置２の入力部４３には、第３の実施の形態と同様にタッチパネル部１６０（図１３）を備えている。このタッチパネル部１６０は、第１の入力部４１に対し、第２の入力部を構成する入力手段であって、図２２に示すように、表示部２６の表示画面５６上に設置され、表示画面５６のキー表示にユーザの指をタッチすることにより、キー投入を行える構成である。その他の構成は、第３の実施の形態（図１４）と同様であるので、その説明を省略する。
【００９８】
この場合、図２２に示すように、表示部２６の表示画面５６にはタッチメニュー画面１６６が表示され、このタッチメニュー画面１６６には、複数の機能から任意の機能を選択するための選択入力部として複数のメニュー選択キーＪ１１、Ｊ１２・・・Ｊ６１、Ｊ６２・・・Ｊ６４が一例として６行４列に亘って表示されている。各メニュー選択キーＪ１１、Ｊ１２・・・Ｊ６１、Ｊ６２・・・Ｊ６４には、個別のタッチエリアが設定されているとともに、各メニューの機能を視覚的に判別可能な図形や記号等からなるアイコンが表示されている。
【００９９】
このようなタッチパネル部１６０とともに、タッチメニュー画面１６６から所望の機能を選択する機能を備えるため、ソフトウェア構成は、図２３に示すように、入力部４３に対応するタッチドライバ１７０を備える。このタッチドライバ１７０は、キー情報を管理する機能部の一例であって、メニュー操作、短縮操作、ＣＨ操作のみ又はＣＨ操作及びＴＶキー操作の入力を受け、各入力情報を本ソフトウェアの上位層に通知する機能を有する。このタッチドライバ１７０は、既述のキードライバ７２（図６）の機能を包含している。その他の構成は、第３の実施の形態と同様であるので、その説明を省略する。
【０１００】
そこで、既述のＥＮＤキー６８（図１４）又は電源の投入により、表示部２６には、タッチメニュー画面１６６（図２２）が表示され、このタッチメニュー画面１６６は、第２の実施の形態又は第３の実施の形態の待受画面に相当し、このタッチパネル部１６０から放送受信や電話発信等の各種機能を開始させるための初期画面である。
【０１０１】
このタッチメニュー画面１６６の表示状態において、タッチパネル部１６０のワンセグ放送受信のアイコンを選択してタッチすれば、図２４に示すように、表示画面５６には第１のＣＨ投入画面１７２が表示される。このＣＨ投入画面１７２には、タスク領域１７４、タスクバー表示領域１７６、入力表示領域１７８、番号入力部（番号キー）１８０、機能操作領域１８２が表示され、番号入力部１８０のＣＨ番号に相当する番号をタッチすることにより、ＣＨ番号が入力される。また、番号入力部１８０にワンセグ放送の受信を開始させるためのワンセグキー１８３が表示され、このワンセグキー１８３は、放送の受信開始キーの一例である。
【０１０２】
このＣＨ投入画面１７２からタッチ操作により入力された情報は、タッチドライバ１７０のタッチ情報認識機能により入力番号が認識され、図２５に示すように、表示画面５６には、第２のＣＨ投入画面１８４が表示される。このＣＨ投入画面１８４には既述の各領域とともに番号表示領域１８６が表示され、この場合、入力番号の「１」が表示されている。このＣＨ投入画面１８４に表示されている番号入力部１８０から新たな番号を入力することができる。即ち、ＣＨ投入画面１７２は、ＣＨ投入画面１８４への移行前の準備画面であり、ＣＨ投入画面１８４は入力番号が表示され、ワンセグ起動画面への準備段階画面である。この場合、ＣＨ投入画面１８４の番号入力部１８０にも、既述のワンセグキー１８３が表示され、このワンセグキー１８３のタッチにより、放送受信を開始させることができる。
【０１０３】
ＣＨ投入画面１８４で番号入力を完了すると、図２６に示すように、既述のワンセグ起動画面１２６が表示される。このワンセグ起動画面１２６には各領域とともにメッセージ表示、スプラッシュ画像等の起動メッセージ表示１３１が表示される。
【０１０４】
このワンセグ起動画面１２６の表示の後、図２７に示すように、既述のワンセグ視聴画面１３２が表示される。このワンセグ視聴画面１３２には各領域の表示とともに、操作領域１４４には、メニューキー１４６、選択キー１４８、カーソルキー１４９、番組表キー１５０、音量増加キー１５２、音量減少キー１５４が表示される。
【０１０５】
次に、ワンセグ放送受信の起動について、図２８を参照する。図２８は、ワンセグ放送受信の起動の処理手順を示すシーケンス図である。図２８に示す構成は一例であって、斯かる構成に本発明が限定されるものではない。
【０１０６】
この処理手順は、放送受信方法又は放送受信プログラムの一例であって、タッチメニュー画面表示段階（手順Ｉ）、タッチメニュー画面表示から第１のＣＨ投入画面表示に至る段階（手順II）、第１のＣＨ投入画面表示から第２のＣＨ投入画面表示に至る段階（手順III ）、第２のＣＨ投入画面表示からワンセグ起動画面表示に至る段階（手順IV）、ワンセグ起動画面表示段階（手順Ｖ）、ワンセグ起動画面表示からワンセグ視聴画面表示に至る段階（手順VI）が含まれる。
【０１０７】
手順Ｉとして、タッチメニュー画面１６６（図２２）の表示を起動する（ステップＳ７１）。手順IIとして、ワンセグ放送のアイコンをタッチすると、ワンセグ放送受信モードに移行し、このタッチ入力がタッチドライバ１７０に入力され（ステップＳ７２）、タッチ情報認識を経て、その認識結果がアプリケーションフレームワーク７４に通知され（ステップＳ７３）、このアプリケーションフレームワーク７４から番号投入アプリ８０に通知され（ステップＳ７４）、第１の表示としてＣＨ投入画面１７２（図２４）が表示される（ステップＳ７５）。
【０１０８】
手順III として、ＣＨ投入画面１７２（図２４）から視聴したいＣＨ番号を番号入力部１８０の番号をタッチし、ＣＨ番号を入力すると、この入力番号はタッチドライバ１７０に入力される（ステップＳ７６）。この入力番号は、タッチドライバ１７０のタッチ情報認識及びその判定を経て、その認識結果がアプリケーションフレームワーク７４に通知される（ステップＳ７７）。アプリケーションフレームワーク７４はその番号入力を番号投入アプリ８０に通知し（ステップＳ７８）、番号投入アプリ８０では、入力番号の入力を契機に第２の表示としてＣＨ投入画面１８４（図２５）の表示を行う（ステップＳ７９）。
【０１０９】
手順IVとして、画面上のワンセグキー１８３（図２５）をタッチし（ステップＳ８０）、このタッチ操作がタッチドライバ１７０からアプリケーションフレームワーク７４に通知される（ステップＳ８１）。このタッチ操作により、ＴＶ起動情報とともにＣＨ情報通知がワンセグアプリ８２に発せられ（ステップＳ８２）、手順Ｖとして、ワンセグ起動画面（図２６）が表示される（ステップＳ８３）。この結果、ワンセグアプリ８２からワンセグコントロール部８４にＣＨ情報設定が行われ（ステップＳ８４）、手順VIとして、ワンセグ視聴画面（図２７）が表示される（ステップＳ８５）。
【０１１０】
このように、ワンセグ放送の受信開始前にＣＨ番号をタッチ操作により入力すれば、そのＣＨ番号でワンセグ放送が指定され、ワンセグキー１８３のタッチにより、そのＴＶ放送を受信することができる。この場合、ワンセグキー１８３のタッチに代え、ＴＶキー６４の押下によっても、同様に放送受信を開始することができる。
【０１１１】
この実施の形態においても、見たい番組、チャンネルを予め選択投入してから起動することができ、ワンセグ起動直後から所望の放送番組を視聴することができ、ＣＨ切替えに伴う無駄な映像切替えや時間ロス等の不都合を回避でき、快適な視聴が得られる等、利便性の高い携帯端末装置を構成できる。
【０１１２】
〔第５の実施の形態〕
【０１１３】
第５の実施の形態は、入力形態の選択を可能にしたものである。
【０１１４】
この第５の実施の形態について、図２９を参照する。図２９は、第５の実施の形態に係る入力部及び入力処理部を示す図である。図２９に示す構成は一例であって、斯かる構成に本発明が限定されるものではない。図２９において、図６と同一部分には同一符号を付してある。
【０１１５】
入力部４は、ボタンキーから構成される既述の入力部４１（図４）、タッチパネルで構成される既述のタッチパネル部１６０（図１４又は図２２）又は指紋センサ１９０の何れか又はこれらの２以上を以て構成してもよい。入力部４１はキー押下によってキーイベントを生じ、タッチパネル部１６０はタッチによって座標イベントを生じ、また、指紋センサ１９０は指紋入力によりキー・座標イベントを生じる。
【０１１６】
このような入力形態に対し、入力処理部１９２はこれらの入力認識や判定を行う手段であって、ワンセグ放送受信機能部７０（図６、図１５又は図２３）に設置される。この入力処理部１９２には、キードライバ７２と、タッチパネルドライバ１６４と、指紋センサドライバ１９４と、入力デバイススイッチングフレームワーク１９６とを備える。
【０１１７】
キードライバ７２は、入力部４１のボタンキーによるキーイベントの認識や判定等、ボタンキーの情報を管理し、ソフトウェアの上位層に通知する機能部である。タッチパネルドライバ１６４は、タッチパネル部１６０のイベント情報（座標イベント）を管理し、ソフトウェアの上位層に通知する機能部である。指紋センサドライバ１９４は、指紋センサ１９０から出力されるイベント情報（キー・座標イベント）を管理し、ソフトウェアの上位層に通知する機能部である。
【０１１８】
このような種々の入力デバイスに対応し、入力デバイススイッチングフレームワーク１９６は、何れの入力デバイスからの入力情報かを判別し、ソフトウェアの上位層に対する通知をコントロールする手段である。そして、アプリケーションフレームワーク７４は操作情報をソフトウェアの上位層である各アプリ７６、７８、８０、８２に通知する役割を担当する機能部である。
【０１１９】
斯かる構成を備えれば、入力デバイスに種々のものを使用することができ、何れの入力デバイスを用いてもＣＨ番号の選択の後、放送受信開始の指示に基づき、放送受信の開始に先立って入力された所望のＣＨ番号に対応する放送受信を開始することができる。
【０１２０】
〔比較例１〕
【０１２１】
次に、上記実施の形態に対する比較例１について、図３０及び図３１を参照する。図３０は、起動手順を示す図、図３１は、ワンセグ放送視聴までの処理シーケンスを示す図である。図３１において、図４、図６に対応する部分には同一符号を付してある。
【０１２２】
この比較例１は、放送受信の開始を先行させている。この比較例１の処理手順（図３０）では、手順１として、待受画面２０２（図３０のＡ）を表示し（ステップＳ９１）、キー操作（図３０のＢ）によりワンセグ放送の受信を起動するため処理（ステップＳ９２、Ｓ９３、Ｓ９４）を経てメニュー画面２０６（図３０のＣ）を表示する（ステップＳ９５）。手順３として、メニュー画面２０６の画面上のワンセグ視聴をキー操作にて選択し（ステップＳ９６）、その選択操作に対応する処理（ステップＳ９７、Ｓ９８）を経て、手順４として、ワンセグ起動画面２０８を表示する（ステップＳ９９）。前回終了時のＣＨ情報を取得及び設定をし（ステップＳ１００）、手順５として、ワンセグ視聴画面２１０を表示する（ステップＳ１０１）。
【０１２３】
このように比較例１では、起動時の放送受信ＣＨが前回受信終了時点の視聴ＣＨに依存するため、受信開始時に所望チャンネルでない放送受信となり、受信放送を切り替えるには、放送受信後であるため、所望チャンネルの迅速な受信ができないという不都合がある。このため、ワンセグ起動時に見たい番組のＣＨを視聴できないため、ＣＨ切替えによる時間のロスが発生する。上記実施の形態では、このような不都合はない。
【０１２４】
〔比較例２〕
【０１２５】
次に、上記実施の形態に対する比較例２について、図３２及び図３３を参照する。図３２は、起動手順を示す図、図３３は、ワンセグ放送視聴までの処理シーケンスを示す図である。図３２及び図３３において、図３０、図３１に対応する部分には同一符号を付してある。
【０１２６】
この比較例２は、放送受信の起動開始に用いるＴＶキー（短縮割付け）による起動である。この比較例２の処理手順（図３３）では、手順１として、待受画面２０２（図３２のＡ）を表示し（ステップＳ１１１）、手順２としてキー操作（ＴＶキー、図３２のＢ）によりワンセグ放送の受信を起動するため処理（ステップＳ１１２、Ｓ１１３、Ｓ１１４、Ｓ１１５）を経て、手順３としてワンセグ起動画面２０８を表示し（ステップＳ１１６）、前回終了時のＣＨ情報を取得及び設定をし（ステップＳ１１７）、手順４としてワンセグ視聴画面２１０を表示する（ステップＳ１１８）。
【０１２７】
このように比較例２においても、起動時の放送受信ＣＨが前回受信終了時点の視聴ＣＨに依存するため、受信開始時に所望チャンネルでない放送受信となり、受信放送を切り替えるには、放送受信後であるため、所望チャンネルの迅速な受信ができないという不都合がある。このため、同様に、ワンセグ起動時に見たい番組のＣＨを視聴できないため、ＣＨ切替えによる時間のロスが発生する。上記実施の形態では、このような不都合はない。
【０１２８】
〔比較例３〕
【０１２９】
次に、上記実施の形態に対する比較例３について、図３４及び図３５を参照する。図３４は、放送切替え手順を示す図、図３５は、放送切替えの処理シーケンスを示す図である。図３４及び図３５において、図３０、図３１に対応する部分には同一符号を付してある。
【０１３０】
この比較例３は、手順１として、ワンセグ放送視聴中にはワンセグ視聴画面２１０（図３４のＡ）を表示し（ステップＳ１２１）、放送切替えには手順２として、ワンセグ視聴画面２１０からキー操作（図３４のＢ）（左右キーにてＣＨの変更）、ＣＨ情報通知等の処理を経て（ステップＳ１２２、Ｓ１２３、Ｓ１２４、Ｓ１２５）、手順３としてワンセグ視聴画面２１４を表示する（ステップＳ１２６）。
【０１３１】
このように比較例３においても、受信放送を切り替えるには、放送受信後であるため、所望チャンネルの迅速な受信ができないという不都合があり、ワンセグ起動時に見たい番組のＣＨを視聴できないため、ＣＨ切替えによる時間のロスが発生するが、上記実施の形態では、このような不都合はない。
【０１３２】
〔他の実施の形態〕
【０１３３】
(1) 上記実施の形態では、放送受信装置、放送受信方法、放送受信プログラム及び携帯端末装置の一例として、携帯端末装置２（図１〜図２９）を例示したが、本発明の放送受信装置、放送受信方法又は放送受信プログラムは、ＴＶ受信機３０２（図３６）、ラジオ受信機３０４（図３７）、放送受信機能を備える携帯情報端末機（ＰＤＡ：Personal Digital Assistant）３０６（図３８）又は放送受信機能を備えるパーソナルコンピュータ（ＰＣ）３０８（図３９）等の電子機器に適用してもよく、本発明は携帯端末装置２に限定されるものではない。
【０１３４】
ＴＶ受信機３０２では、図３６に示すように、筐体３１０に放送受信開始キー３１２とともに選局キー３１３を備え、放送受信開始前に上記実施の形態と同様に選局キー３１３によって選局した後、放送受信開始キー３１２を押下すれば、選局キー３１３で選局された放送の受信を開始することができる。
【０１３５】
ラジオ受信機３０４では、図３７に示すように、筐体３１４に放送受信開始キー３１６とともに選局キー３１８を備え、放送受信開始前に上記実施の形態と同様に選局キー３１８によって選局した後、放送受信開始キー３１６を押下すれば、選局キー３１８で選局された放送の受信を開始することができる。
【０１３６】
放送受信機能を備えるＰＤＡ３０６では、図３８に示すように、筐体３２０に放送受信開始キー３２１とともに選局キー３２２を備え、放送受信開始前に上記実施の形態と同様に選局キー３２２によって選局した後、放送受信開始キー３２１を操作すれば、選局キー３２２で選局された放送の受信を開始することができる。
【０１３７】
放送受信機能を備えるＰＣ３０８では、図３９に示すように、筐体３２４に放送受信開始キー３２６とともに選局キー３２８を備え、放送受信開始前に上記実施の形態と同様に選局キー３２８によって選局した後、放送受信開始キー３２６を操作すれば、選局キー３２８で選局された放送の受信を開始することができる。
【０１３８】
(2) 上記実施の形態では、入力番号を２桁を基準にし、２桁を超えた場合に電話発信準備に移行しているが、電話発信のための短縮番号を１桁又は２桁程度に設定した場合には、その入力を契機に電話発信準備に移行させ、受信開始キーが押下されれば、その時点で放送受信開始に移行する構成としてもよい。
【０１３９】
次に、以上述べた実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１４０】
（付記１）  放送を受信する放送受信装置であって、
受信放送の選局又は受信開始の入力を行う入力部と、
放送の受信開始に先立って前記入力部から入力される選局情報を登録する選局情報登録部と、
前記入力部から入力される受信開始により、前記選局情報登録部にある前記選局情報により選局された放送を受信する放送受信部と、
を備えることを特徴とする放送受信装置。
【０１４１】
（付記２）  前記入力部に選局キーと、受信開始キーとを備え、前記選局キーによる選局情報の入力の後、前記受信開始キーの操作により、選局された放送受信を開始することを特徴とする付記１記載の放送受信装置。
【０１４２】
（付記３）  待受画面又は選局情報入力画面を表示する表示部を備え、前記待受画面が表示されている際に、前記入力部の選局情報の入力を契機とし、前記待受画面から選局情報入力画面に切り替え、該選局情報入力画面に前記選局情報が表示されることを特徴とする付記１記載の放送受信装置。
【０１４３】
（付記４）  前記入力部から入力された前記選局情報を表示する表示部を備え、選局情報が入力された際に、前記表示部に放送受信を開始させる入力を促すメッセージ表示を行うことを特徴とする付記１記載の放送受信装置。
【０１４４】
（付記５）  放送を受信する放送受信方法であって、
放送受信の開始に先立って選局情報入力を受け付け、該選局情報を登録するステップと、
放送受信開始により、登録されている選局情報により選局された放送を受信するステップと、
を含むことを特徴とする放送受信方法。
【０１４５】
（付記６）  選局情報の入力の後、受信の開始入力により、選局された放送受信を開始するステップを含むことを特徴とする付記５記載の放送受信方法。
【０１４６】
（付記７）  待受画面を表示するステップと、
選局情報の入力を契機とし、前記待受画面から選局情報入力画面に切り替えるステップと、
を含むことを特徴とする付記５記載の放送受信方法。
【０１４７】
（付記８）  選局情報の入力を契機に、放送受信の開始入力を促すメッセージ表示を行うステップを含むことを特徴とする付記５記載の放送受信方法。
【０１４８】
（付記９）  放送を受信する放送受信プログラムであって、
放送受信の開始に先立って選局情報入力を受け付け、該選局情報を登録する機能と、
放送受信開始により、登録されている選局情報により選局された放送を受信する機能と、
を含み、これらの機能をコンピュータに実行させることを特徴とする放送受信プログラム。
【０１４９】
（付記１０）  選局情報の入力の後、受信の開始入力により、選局された放送受信を開始する機能を含むことを特徴とする付記９記載の放送受信プログラム。
【０１５０】
（付記１１）  待受画面を表示する機能と、
選局情報の入力を契機とし、前記待受画面から選局情報入力画面に切り替える機能と、
を含むことを特徴とする付記９記載の放送受信プログラム。
【０１５１】
（付記１２）  選局情報の入力を契機に、放送受信の開始入力を促すメッセージ表示を行う機能を含むことを特徴とする付記９記載の放送受信プログラム。
【０１５２】
（付記１３）  放送の受信機能を備える携帯端末装置であって、
受信放送の選局又は受信開始の入力を行う入力部と、
放送の受信開始に先立って前記入力部から入力される選局情報を登録する選局情報登録部と、
前記入力部による受信開始により、前記選局情報登録部にある前記選局情報により選局された放送を受信する放送受信部と、
を備えることを特徴とする携帯端末装置。
【０１５３】
（付記１４）  前記入力部に選局キーと、受信開始キーとを備え、前記選局キーによる選局情報の入力の後、前記受信開始キーの操作により、選局された放送受信を開始することを特徴とする付記１３記載の携帯端末装置。
【０１５４】
（付記１５）  前記入力部に入力される番号の桁数により、選局か電話番号かを判断する判断手段と、
前記判断手段が電話番号であると判断している場合に電話発信キーの投入により、電話発信を行う電話機能部と、
を備え、前記放送受信部は、前記判断手段が選局であると判断している場合に受信開始キーの投入により、放送受信を行うことを特徴とする付記１３記載の携帯端末装置。
【０１５５】
（付記１６）  待受画面又は選局情報入力画面を表示する表示部を備え、前記待受画面が表示されている際に、前記入力部の選局情報の入力を契機とし、前記待受画面から選局情報入力画面に切り替え、該選局情報入力画面に前記選局情報が表示されることを特徴とする付記１３記載の携帯端末装置。
【０１５６】
（付記１７）  前記入力部から入力された前記選局情報を表示する表示部を備え、選局情報が入力された際に、前記表示部に放送受信を開始させる入力を促すメッセージ表示を行うことを特徴とする付記１３記載の携帯端末装置。
【０１５７】
以上説明したように、放送受信装置、放送受信方法、放送受信プログラム又は携帯端末装置の好ましい実施の形態について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【産業上の利用可能性】
【０１５８】
本開示の放送受信装置、放送受信方法、放送受信プログラム又は携帯端末装置では、放送受信の開始前に受信すべき放送を選択でき、又は番号入力の後、受信開始キー又は電話キーの押下に基づき、放送受信又は電話発信を行えるので、放送受信機能や、放送受信及び電話機能を備える各種電子機器の操作性等の利便性を高めることができ、有用である。
【符号の説明】
【０１５９】
２  携帯端末装置
４  入力部
６  入力番号登録部
８  入力番号判断部
１０  放送受信機能部
１２  電話機能部
１４  番号キー
１６  受信開始キー
１８  電話開始キー
２０  メモリ
２２  プロセッサ
２４  ＴＶチューナ部
２６  表示部
４２２  番号記憶部
４２４  ＣＨ番号記憶部
【図１】
2010239269.tif 000003
【図２】
2010239269.tif 000004
【図３】
2010239269.tif 000005
【図４】
2010239269.tif 000006
【図５】
2010239269.tif 000007
【図６】
2010239269.tif 000008
【図７】
2010239269.tif 000009
【図８】
2010239269.tif 000010
【図９】
2010239269.tif 000011
【図１０】
2010239269.tif 000012
【図１１】
2010239269.tif 000013
【図１２】
2010239269.tif 000014
【図１３】
2010239269.tif 000015
【図１４】
2010239269.tif 000016
【図１５】
2010239269.tif 000017
【図１６】
2010239269.tif 000018
【図１７】
2010239269.tif 000019
【図１８】
2010239269.tif 000020
【図１９】
2010239269.tif 000021
【図２０】
2010239269.tif 000022
【図２１】
2010239269.tif 000023
【図２２】
2010239269.tif 000024
【図２３】
2010239269.tif 000025
【図２４】
2010239269.tif 000026
【図２５】
2010239269.tif 000027
【図２６】
2010239269.tif 000028
【図２７】
2010239269.tif 000029
【図２８】
2010239269.tif 000030
【図２９】
2010239269.tif 000031
【図３０】
2010239269.tif 000032
【図３１】
2010239269.tif 000033
【図３２】
2010239269.tif 000034
【図３３】
2010239269.tif 000035
【図３４】
2010239269.tif 000036
【図３５】
2010239269.tif 000037
【図３６】
2010239269.tif 000038
【図３７】
2010239269.tif 000039
【図３８】
2010239269.tif 000040
【図３９】
2010239269.tif 000041